(57)【要約】      （修正有）【課題】取手としての機能を損なうことなく、しかも防水性袋の取り出し時に邪魔となることがない取手を備えた、被滅菌物収納容器を提供すること。【解決手段】縦型高圧蒸気滅菌器で使用する被滅菌物収納容器１０において、多数の孔を有する有底円筒形状の容器本体１１と、該容器本体の上端部に装着された取手１２とからなり、取手１２は、容器本体１１の上端部の直径位置に相当する中心からズレた位置の外面側に設けられた２カ所の支点１５，１５を中心として回動し、一方の回動方向に回動させた場合に容器本体１１の上端面に当接することにより停止し、他方の回動方向に回動させた場合には容器本体１１の側壁１３外面に当接することにより停止する略半円弧状の棒体１６で形成されている。【選択図】図２
0003204034.tif 000002
【実用新案登録請求の範囲】
【請求項１】
被滅菌物を被滅菌物収納容器内に収納し、該被滅菌物収納容器を機器本体に形成したチャンバの上方開口からチャンバ内に装填し、上記チャンバ内に高圧蒸気を充満させて、上記被滅菌物の滅菌処理を行なう縦型高圧蒸気滅菌器で使用する上記被滅菌物収納容器において、多数の孔を有する有底円筒形状の容器本体と、該容器本体の上端部に装着された取手とからなり、前記取手は、容器本体の上端部の直径位置に相当する中心からズレた位置の外面側に設けられた２カ所の支点を中心として回動し、一方の回動方向に回動させた場合に容器本体の上端面に当接することにより停止し、他方の回動方向に回動させた場合には容器本体の側壁外面に当接することにより停止する略半円弧状の棒体で形成されていることを特徴とする、被滅菌物収納容器。
【請求項２】
上記取手である略半円弧状の棒体が、中央部分に直線部を有することを特徴とする、請求項１に記載の被滅菌物収納容器。
【請求項３】
上記容器本体が、側壁の周方向の一部及び下方部、そして底面が無孔であることを特徴とする、請求項１又は２に記載の被滅菌物収納容器。
【請求項４】
上記取手が、上記容器本体の無孔に形成された側壁の周方向の一部に対して逆方向にズレた位置の外面側に設けられた２カ所の支点を中心とし回動し、かつその回動方向が無孔に形成された側壁の周方向の一部に対して垂直方向に回動するように容器本体の上端部に装着されていることを特徴とする、請求項３に記載の被滅菌物収納容器。
【考案の詳細な説明】
【技術分野】
【０００１】
本考案は、縦型高圧蒸気滅菌器で使用される被滅菌物収納容器に関するものである。
【背景技術】
【０００２】
縦型高圧蒸気滅菌器は、上方が開口したチャンバを有している。そして、籠状の被滅菌物収納容器に被滅菌物を収納し、その収納容器を上記チャンバ内に装填し、チャンバの開口を蓋によって閉じ、該チャンバ内に高圧蒸気を発生させ、該高圧蒸気で被滅菌物の滅菌処理を行なうものである。
【０００３】
このような縦型高圧蒸気滅菌器において、籠状の被滅菌物収納容器内に被滅菌物を直接収容して滅菌作業を行なうと、被滅菌物、例えばシャーレ，マイクロプレート，フラスコ，ピペットチップ，採血シリンジ等に付着した培養基，血液等が高圧の加熱蒸気により煮沸溶解され、籠状の被滅菌物収納容器の孔を通って外部に流出し、チャンバの底面に設けられたドレン孔あるいは側面に設けられた空気抜き孔、安全弁のための孔等を塞ぐ虞があった。
【０００４】
そこで、被滅菌物を、高密度ポリエチレン製などの防水性袋に入れ、それを収納容器に入れた状態で滅菌処理を行ない、流出した培養基，血液等を該防水性袋内に溜めて、それらが収納容器の孔を介してチャンバ内に流出するのを防止することがなされていた。また、このように防水性袋を籠状の被滅菌物収納容器にセットして研究所の片隅などに置いておけば、該被滅菌物収納容器を、被滅菌物を入れるダストボックスとしてそのまま使用することができ、また、このような使用時において、臭い等の拡散を抑えるための蓋も用意されていた。
【０００５】
ここで、従来において一般的に使用されていた被滅菌物収納容器５０は、図７に示したように、側壁及び底面が多孔の有底円筒形状の容器本体５１と、該容器本体５１の上端部に装着された取手５２から成るもので、前記取手５２は、容器本体５１の上端部の直径位置に相当する中心対称位置の内面側に設けられた２カ所の支点５３，５３を中心として回動し、容器本体５１の上端面に当接することにより停止する半円弧状の棒体５４で形成されていた。また、防水性袋が破れた場合などを考慮し、被滅菌物の付着物の流出を防ぐ目的で、上記有底円筒形状の容器本体を下方部の側壁及び底面を無孔のものとした被滅菌物収納容器も存在する（例えば、特許文献１参照）。
【先行技術文献】
【特許文献】
【０００６】
【特許文献１】実公平５−４３７９７号公報
【考案の開示】
【考案が解決しようとする課題】
【０００７】
しかしながら、上記したような被滅菌物収納容器では、被滅菌物の滅菌処理が終了し、該被滅菌物収納容器５０から被滅菌物を防水性袋６０ごと取り出そうとした際、図８に示したように、取手５２が防水性袋６０の側部に喰い込む方向に回動して邪魔をし、防水性袋６０をスムースに容器５０から取り出すことができないことが頻繁に発生していた。
【０００８】
本考案は、上述した背景技術が有する課題に鑑みなされたものであって、その目的は、取手としての機能を損なうことなく、しかも防水性袋の取り出し時に邪魔となることがない取手を備えた、被滅菌物収納容器を提案することにある。
【課題を解決するための手段】
【０００９】
上記した目的を達成するため、本考案は、次の［１］〜［４］に記載した被滅菌物収納容器とした。
［１］  被滅菌物を被滅菌物収納容器内に収納し、該被滅菌物収納容器を機器本体に形成したチャンバの上方開口からチャンバ内に装填し、上記チャンバ内に高圧蒸気を充満させて、上記被滅菌物の滅菌処理を行なう縦型高圧蒸気滅菌器で使用する上記被滅菌物収納容器において、多数の孔を有する有底円筒形状の容器本体と、該容器本体の上端部に装着された取手とからなり、前記取手は、容器本体の上端部の直径位置に相当する中心からズレた位置の外面側に設けられた２カ所の支点を中心として回動し、一方の回動方向に回動させた場合に容器本体の上端面に当接することにより停止し、他方の回動方向に回動させた場合には容器本体の側壁外面に当接することにより停止する略半円弧状の棒体で形成されていることを特徴とする、被滅菌物収納容器。
［２］  上記取手である略半円弧状の棒体が、中央部分に直線部を有することを特徴とする、上記［１］に記載の被滅菌物収納容器。
［３］  上記容器本体が、側壁の周方向の一部及び下方部、そして底面が無孔であることを特徴とする、上記［１］又は［２］に記載の被滅菌物収納容器。
［４］  上記取手が、上記容器本体の無孔に形成された側壁の周方向の一部に対して逆方向にズレた位置の外面側に設けられた２カ所の支点を中心とし回動し、かつその回動方向が無孔に形成された側壁の周方向の一部に対して垂直方向に回動するように容器本体の上端部に装着されていることを特徴とする、上記［３］に記載の被滅菌物収納容器。
【考案の効果】
【００１０】
上記した本考案に係る被滅菌物収納容器によれば、取手は、容器本体の上端部の偏心した位置の外面側に設けられた２カ所の支点を中心として回動し、一方の回動方向に回動させた場合に容器本体の上端面に当接することにより停止し、他方の回動方向に回動させた場合には容器本体の側壁外面に当接することにより停止する略半円弧状の棒体で形成されているので、該被滅菌物収納容器に入れた防水性袋の取り出し時において、略半円弧状の棒体からなる取手を、容器本体の側壁外面に当接することにより停止する方向に回動させておけば、該取手が邪魔となることがなく、スムースに防水性袋を取り出すことができるものとなる。また、縦型高圧蒸気滅菌器に入れた場合には、略半円弧状の棒体からなる取手を、容器本体の上端部に当接することにより停止する方向に回動させておけば、該取手を利用して被滅菌物収納容器を滅菌器のチャンバから容易に引き出すことができ、取手としての機能が何ら損なわれることがない。
【図面の簡単な説明】
【００１１】
【図１】縦型高圧蒸気滅菌器の一例を示した概念的な縦断面図である。
【図２】本考案に係る被滅菌物収納容器の一実施形態を示した斜視図である。
【図３】図２に示した収納容器の取手を一方に倒した状態を示した図であって、（ａ）はその平面図、（ｂ）はその一部側面図である。
【図４】図２に示した収納容器の取手を他方に倒した状態を示した図であって、（ａ）はその平面図、（ｂ）はその一部側面図である。
【図５】図２に示した収納容器から底部に溜まった汚水を排出する状態を示した斜視図である。
【図６】図２に示した収納容器から防水性袋を取り出す状態を示した斜視図である。
【図７】従来の被滅菌物収納容器の一例を示した斜視図である。
【図８】図７に示した従来の収納容器から防水性袋を取り出す状態を示した斜視図である。
【考案を実施するための形態】
【００１２】
以下、上記した本考案に係る被滅菌物収納容器の一実施形態を、図面を参照しながら詳細に説明する。
【００１３】
縦型高圧蒸気滅菌器１は、図１に示したように、機器本体２にチャンバ３を有しており、該チャンバ３は、上方に開口４を有している。そして、チャンバ３の底面にはドレン孔５が形成され、側面には空気抜き孔６等が形成されている。また、チャンバ３の底部には簀の子７が配設され、該簀の子７の下方にはヒータ８が配置されている。また、機器本体２の上部に開閉蓋９を備えている。
【００１４】
そして、籠状の被滅菌物収納容器１０に、防水性袋２０に入れた状態の被滅菌物Ａを収納し、その収納容器１０を上記縦型高圧蒸気滅菌器１のチャンバ３内に装填し、チャンバ３の開口４を開閉蓋９によって閉じ、該チャンバ３内にヒータ８によって高圧蒸気を発生させ、該高圧蒸気で収納した被滅菌物Ａの滅菌処理を行なう。
【００１５】
上記縦型高圧蒸気滅菌器１で使用されている被滅菌物収納容器１０は、図２に示したように、多数の孔を有する有底円筒形状の容器本体１１と、該容器本体１１の上端部に装着された取手１２とから構成され、これらの容器本体１１及び取手１２は、ステンレススチール，アルミニウム，合成樹脂等の錆難い材料により形成されている。
【００１６】
容器本体１１は、側壁１３の周方向の一部１３ａ及び下方部１３ｂ、そして底面１４が無孔に形成されている。無孔に形成されている側壁１３の周方向の一部１３ａの範囲は、図３に示した角度αで、７０〜１７０度の範囲の側壁部分が好ましく、８０〜１５０度の範囲の側壁部分が更に好ましい。図示した実施形態においては、１２０度の範囲の側壁部分１３ａが無孔に形成されている。また無孔に形成されている側壁１３の下方部１３ｂの範囲は、容器本体の高さＨの１／７〜３／７の高さの範囲の下方部が好ましく、１／５〜２／５の高さの範囲の下方部が更に好ましい。図示した実施形態においては、容器本体の高さＨの１／３の高さの下方部１３ｂが無孔に形成されている。このように容器本体の側壁１３の周方向の一部１３ａ及び下方部１３ｂ、そして底面１４を無孔に形成することにより、被滅菌物Ａ、例えばシャーレ，マイクロプレート，フラスコ，ピペットチップ，採血シリンジ等から流出した培養基，血液などの汚水を底部に溜めることができ、また、横に倒すことにより無孔の側壁部分１３ａを樋のように利用して底部に溜めた汚水をスムースに排出することができる。
【００１７】
容器本体１１の上端部に装着された取手１２は、容器本体１１の上端部の直径位置に相当する中心からズレた位置の外面側に設けられた２カ所の支点１５，１５を中心として回動し、図３に示したように、一方の回動方向に回動させた場合に容器本体１１の上端面に当接することにより停止し、図４に示したように、他方の回動方向に回動させた場合には容器本体１１の側壁外面に当接することにより停止する略半円弧状の棒体１６で形成されている。支点１５，１５の位置の偏心量は、図４に示した距離βで、容器本体の半径Ｒの１／２０〜２／５の距離の偏心量であることが好ましく、１／１０〜２／７の距離の偏心量であることが更に好ましい。図示した実施形態においては、容器本体１１の上端部の直径位置に相当する中心から１／７の距離ズレた位置に装着されている。
【００１８】
また、取手１２は、中央部分に直線部１６ａを有する略半円弧状の棒体１６に形成されている。これにより取手１２として持ち易いものとなると共に、図３に示したように、一方の回動方向に回動させた場合に容器本体１１の上端面に直線部１６ａが当接して確実に停止するものとなり、また図４に示したように、他方の回動方向に回動させた場合に容器本体１１の側壁外面に直線部１６ａが当接し、その両側部に側壁との間に隙間が形成された状態で停止し、該隙間を利用して該取手１２を操作し易いものとなる。
【００１９】
更に、取手１２は、上記容器本体１１の無孔に形成された側壁の周方向の一部１３ａに対して逆方向にズレた位置の外面側に設けられた２カ所の支点１５，１５を中心とし回動し、かつその回動方向が無孔に形成された側壁の周方向の一部１３ａに対して垂直方向に回動するように容器本体１１の上端部に装着されている。このように取手１２を設けることにより、図５に示したように、容器本体１１を横に倒して無孔の側壁部分１３ａを樋のように利用して底部に溜めた汚水を排出する際、取手１２と容器本体１１との間隙が広く、取手１２が持ち易いものとなり、またその排出作業が容易なものとなる。
【００２０】
上記のように構成された本考案に係る被滅菌物収納容器１０は、図１に示したように、該被滅菌物収納容器１０に、防水性袋２０に入れた状態の被滅菌物Ａを収納し、その収納容器１０を縦型高圧蒸気滅菌器１のチャンバ３内に装填し、収納した被滅菌物Ａの滅菌処理が行われる。この際、略半円弧状の棒体１６からなる取手１２を、図示したように容器本体１１の上端部に当接することにより停止する方向に回動させておけば、滅菌処理後において該取手１２を利用して収納容器１０を縦型高圧蒸気滅菌器１のチャンバ３内から容易に引き出すことができ、取手１２としての機能を十分に果たすものとなる。
【００２１】
また、被滅菌物Ａの滅菌処理後において、該被滅菌物収納容器１０から被滅菌物Ａを防水性袋２０ごと取り出す際には、図６に示したように、略半円弧状の棒体１６からなる取手１２を、容器本体１１の側壁外面に当接することにより停止する方向に回動させておけば、該取手１２が邪魔となることがなく、スムースに防水性袋２０を取り出すことができるものとなる。
【００２２】
以上、本考案に係る被滅菌物収納容器の実施形態を説明したが、本考案は、何ら既述の実施形態に限定されるものではなく、種々の異なる態様で実施することは可能であることは当然である。
【産業上の利用可能性】
【００２３】
本考案に係る被滅菌物収納容器は、被滅菌物を収納し、機器本体に形成したチャンバの上方開口からチャンバ内に装填し、上記チャンバ内に高圧蒸気を充満させて、上記被滅菌物の滅菌処理を行なう縦型高圧蒸気滅菌器で使用する被滅菌物収納容器として、好適に利用することができる。
【符号の説明】
【００２４】
１    縦型高圧蒸気滅菌器
２    機器本体
３    チャンバ
４    開口
５    ドレン孔
６    空気抜き孔
７    簀の子
８    ヒータ
９    開閉蓋
１０    被滅菌物収納容器
１１    容器本体
１２    取手
１３    側壁
１３ａ    無孔に形成されている側壁の周方向の一部
１３ｂ    無孔に形成されている側壁の下方部
１４    無孔に形成されている底面
１５    支点
１６    略半円弧状の棒体
１６ａ    直線部
２０    防水性袋
Ａ    被滅菌物
【図１】
0003204034.tif 000003
【図２】
0003204034.tif 000004
【図３】
0003204034.tif 000005
【図４】
0003204034.tif 000006
【図５】
0003204034.tif 000007
【図６】
0003204034.tif 000008
【図７】
0003204034.tif 000009
【図８】
0003204034.tif 000010